(57)【要約】【課題】外国語を効率よく学習するための言語学習装置を提供すること。【解決手段】本発明の言語学習装置１は，第１の画像１０１の画像データと，第２の画像１０２の画像データを格納する画像データ記憶手段２１と，模範音声データを格納する模範音声データ記憶手段２２と，確認用画像１０３の画像データを格納する確認用画像データ記憶手段２３と，前記ユーザ音声データを格納するユーザ音声データ記憶手段２４と，前記画像データ記憶手段２１と前記模範音声データ記憶手段２２からデータを読み出し制御処理する暗記モード処理手段３１と，前記確認用画像データ記憶手段２３からデータを読み出し制御処理する確認モード処理手段３２と，前記模範音声データ記憶手段２２と，前記ユーザ音声データ記憶手段２４からデータを読み出し制御処理する発音特訓モード処理手段３３と，を備えることを特徴とする。【選択図】図１
2018097250.tif 000002
【特許請求の範囲】
【請求項１】
ユーザの操作入力を受けつける操作入力手段と，画像データを表示する表示手段と，ユーザが発音したユーザ音声データを取得する音声入力手段と，音声データを出力させる音声出力手段と，
各例文テキスト毎の，例文テキストの自国語表記と例文テキストに対応するイラストとを含む第１の画像の画像データと，例文テキストの外国語表記と前記イラストとを含む第２の画像の画像データを格納する画像データ記憶手段と，
前記自国語表記と前記外国語表記の読み（発音）の模範音声データを格納する模範音声データ記憶手段と，
各例文テキスト毎の，例文テキストの自国語表記及び外国語表記と，当該例文テキスト以外の所定数の例文テキストの外国語表記とを含む確認用画像の画像データを格納する確認用画像データ記憶手段と，
前記ユーザ音声データを格納するユーザ音声データ記憶手段と，
各例文テキスト毎に，前記第１の画像の画像データ及び前記自国語表記の読み（発音）の模範音声データと，前記第２の画像の画像データ及び前記外国語表記の読み（発音）の模範音声データを，それぞれ，前記画像データ記憶手段と前記模範音声データ記憶手段から読みだし，前記第１の画像の表示及び前記自国語表記の読みの模範音声データの出力をし，前記第２の画像の表示及び前記外国語表記の読みの模範音声データの出力をし，前記第１の画像及び前記第２の画像の表示時間は一定にする制御処理を含む前記暗記モード処理手段と，
各例文テキスト毎に，前記確認用画像データ記憶手段から前記確認用画像の画像データを読み出し，前記確認用画像を表示し，画面上の複数の外国語表記から一の外国語表記の選択入力を受け付け，選択された外国語表記が前記例文テキストの外国語に該当するか否かを判断し，判定結果を音声による出力又は画面上に表示する制御処理を含む確認モード処理手段と，
前記模範音声データ記憶手段に記憶された外国語表記の読みの模範音声データと，前記ユーザ音声データ記憶手段に記憶されたユーザ音声データとを交互に出力する制御処理を含む発音特訓モード処理手段と，
を備えることを特徴とする言語学習装置。  
【請求項２】
前記暗記モード処理手段が，所定数の例文テキストについて，各例文テキスト毎に，前記第１の画像の表示及び自国語表記の読みの模範音声データの出力と，前記第２の画像の表示及び外国語表記の読みの模範音声データの出力とを順次行うことを１周回とし，複数回周回し，全画像の表示時間は一定にしつつ，周回毎に前記模範音声データの出力速度を可変とする制御処理を含むことを特徴とする請求項１記載の言語学習装置。
【請求項３】
前記暗記モード処理手段が，各例文テキスト毎に，前記第１の画像の表示及び自国語表記の読みの模範音声データの出力をし，前記第２の画像の表示及び外国語表記の読みの模範音声データの出力をすることを１ターンとし，該１ターンの画像表示及び模範音声データの出力を複数回連続して繰り返すことを，所定数の例文テキストについて実行し，全画像の表示時間は一定にしつつ，ターン毎に模範音声データの出力速度を可変とする制御処理を含むことを特徴とする請求項１又は２記載の言語学習装置。
【請求項４】
前記暗記モード処理手段が，各例文テキスト毎の，前記第１の画像の表示及び自国語表記の模範音声データの出力と，前記第２の画像の表示及び前記外国語表記の模範音声データの出力との実行順序を可変とする制御処理を含むことを特徴とする請求項１〜３いずれか１項記載の言語学習装置。
【請求項５】
前記暗記モード処理手段を実行して暗記モードを作動させ，続けて，前記確認モード処理手段を実行して確認モードを作動させるモード制御処理手段を備えることを特徴とする請求項１〜４いずれか１項記載の言語学習装置。
【請求項６】
前記各例文テキスト毎に，前記ユーザ音声データ記憶手段に格納されたユーザ音声データと，前記例文テキストに対応する外国語表記の読みの模範音声データを，それぞれ，前記模範音声データ記憶手段とユーザ音声データ記憶手段から読みだし，前記例文テキストの外国語表記の読みの模範音声データと同一又は近似するか否かを判断し，前記同一又は近似するときは，前記例文テキストの外国語表記を表示し，前記同一又は近似しないときは，当該発音に対応するスペルを表示する発音確認モードを作動する発音確認モード処理手段を含む請求項１記載の言語学習装置。
【発明の詳細な説明】
【技術分野】
【０００１】
本発明は，外国語を効率よく学習するための言語学習装置に関する。
【背景技術】
【０００２】
近年では，オンライン英会話等インターネットを使用した外国語学習サービスが増え，外国語学習の方法は多肢にわたるが，独学で英語等の外国語を学習する場合，未だに，外国語で記された語学学習用の本を繰り返し読み，時には音読し，また，記録媒体に記録されているネイティブスピーカなどによる模範音声を再生し，この模範音声を繰り返し聴取するとともに，該模範音声を真似て繰り返し発音ないし発声することで外国語を習得することが根強く行われている。
【０００３】
なお，独学でも，ユーザの音声を録音し，録音した自身の音声と模範音声とを聞き比べることで，正しい発音，アクセントを身につけることもできる（特許文献１）。
【先行技術文献】
【特許文献】
【０００４】
【特許文献１】特開２０００−２５０４０２号
【発明の概要】
【発明が解決しようとする課題】
【０００５】
しかし，通常，語学学習用の書籍等は専ら文字ばかりで表現され，抽象的な会話文や文章が並び，実際にどういった場面で使われるものであるか分かりづらくテーマにも，応用場面と対応する現実味がないことが多く，書籍等に記載されたテキストを繰り返し発音するだけでは，日常会話における発音，会話のみならず，意味合いの認識，用例など幅広い知識が定着しにくい問題があった。
【０００６】
また，単に模範音声を真似て発声した自身の音声を録音し，録音した自身の音声と模範音声とを聞き比べながら言語学習を進めるのみでは面白みに欠け，学習意欲の減退を招いてしまう。
【０００７】
本発明は，上記問題点に鑑みてなされたものであって，独学でも興味を持って継続的に学習を行うことができる上，学習効率を高めてユーザの利便性を向上させ，より効果的に記憶学習を行える言語学習装置を提供することを目的とする。
【課題を解決するための手段】
【０００８】
以下に，課題を解決するための手段を，発明を実施するための形態で使用する符号と共に記載する。この符号は，特許請求の範囲の記載と発明を実施するための形態の記載との対応を明らかにするために記載したものであり，言うまでもなく，本願発明の技術的範囲の解釈に制限的に用いられるものではない。
【０００９】
本発明の言語学習装置１は，
ユーザの操作入力を受けつける操作入力手段４０と，
画像データを表示する表示手段５０と，
ユーザが発音したユーザ音声データを取得する音声入力手段６０と，
音声データを出力させる音声出力手段７０と，
各例文テキストＥＴ（単語，熟語，文，文章を含む。）毎の，自国語表記１１１と例文テキストＥＴに対応するイラスト１１３とを含む第１の画像１０１の画像データと，例文テキストＥＴの外国語表記１１２と前記イラスト１１３と同一又はこれと異なるイラストを含む第２の画像１０２の画像データとを格納する画像データ記憶手段２１と，
前記自国語表記１１１と前記外国語表記１１２の読み（発音）の模範音声データを格納する模範音声データ記憶手段２２と，
各例文テキストＥＴ毎の，自国語表記１１１及び外国語表記１１２と，例文テキストＥＴ以外の所定数の例文テキストＥＴ’１・・・ＥＴ’ｎの外国語表記１１２’１・・・１１２’ｎとを含む確認用画像１０３の画像データを格納する確認用画像データ記憶手段２３と，
前記ユーザ音声データを格納するユーザ音声データ記憶手段２４と，
各例文テキスト毎に，前記第１の画像１０１の画像データ及び前記自国語表記１１１の読み（発音）の模範音声データと，前記第２の画像１０２の画像データ及び前記外国語表記１１２の読み（発音）の模範音声データを，それぞれ，前記画像データ記憶手段２１と，前記模範音声データ記憶手段２２から読みだし，
前記第１の画像１０１の表示及び前記自国語表記１１１の読みの模範音声データの出力をし，かつ，
前記第２の画像１０２の表示及び前記外国語表記１１２の読みの模範音声データの出力をし，前記第１の画像１０１及び前記第２の画像１０２の表示を一定時間に制御する制御処理を含む暗記モード処理手段３１と，
各例文テキスト毎に，前記確認用画像データ記憶手段２３から前記確認用画像１０３の画像データを読み出し，前記確認用画像１０３と同一の画像を表示し，
画面上の複数の外国語表記１１２，１１２’１・・・１１２’ｎから一の外国語表記の選択入力を受け付け，選択された外国語表記が，前記例文テキストＥＴの外国語表記に該当するか否かを判断し，判定結果を音声による出力又は画面上に表示する確認モード処理手段３２と，
前記模範音声データ記憶手段２２に記憶された外国語表記１１２の読みの模範音声データと，前記ユーザ音声データ記憶手段２４に記憶されたユーザ音声データとを，音声として前記音声出力手段７０から出力する制御処理を含む発音特訓モード処理手段３３と，
から成ることを特徴とするものである（請求項１）。
【００１０】
また，前記暗記モード処理手段３１が，所定数の例文テキストＥＴについて，各例文テキストＥＴ毎に，前記第１の画像１０１の表示及び自国語表記１１１の読みの模範音声データの出力と，前記第２の画像１０２の表示及び外国語表記１１２の読みの模範音声データの出力とを順次行うことを１周とし，（前記１周を本願明細書において，「周回」と言う。），複数回周回し，前記第１及び第２の画像１０１，１０２の表示時間は一定にしつつ，周回毎に前記模範音声データの出力速度を可変とする制御処理を含むものでも良い（請求項２）。
【００１１】
さらに，前記周回は，所定数，例えば１０個の例文テキストＥＴをひとまとまりとして，前記第１の画像１０１の表示及び自国語表記１１１の読みの模範音声データの出力と，前記第２の画像１０２の表示及び外国語表記１１２の読みの模範音声データの出力とを順次行う（図４；１／１０〜図７；２／１０そして図示せざる３／１０〜１０／１０）ものであるのに対し，ここでは，単一の例文テキストＥＴについて，前記第１の画像１０１の表示及び自国語表記１１１の読みの模範音声データの出力をし，前記第２の画面１０２の表示及び外国語表記１１２の読みの模範音声データの出力をすることを１ターン（図４；１／１０及び図５；１／１０の連続で完結）とし，つまり，前記暗記モード処理手段３１が，各例文テキストＥＴ毎に，前記第１の画像１０１の表示及び自国語表記１１１の読みの模範音声データの出力をし，前記第２の画像１０２の表示及び外国語表記１１２の読みの模範音声データの出力をすることを１ターンとする。
【００１２】
そして該１ターンの画像表示及び模範音声データの出力を複数回連続して繰り返すことを所定数の例文テキストＥＴについて実行し，全画像の表示時間は一定にしつつ，ターン毎に模範音声データの出力速度を可変とする制御処理を含むものでも良い（請求項３）。
【００１３】
なお，前記暗記モード処理手段３１が，例文テキストＥＴ毎の，前記第１の画像１０１の表示及び自国語表記１１１の模範音声データの出力と，前記第２の画像１０２の表示及び前記外国語表記１１２の模範音声データの出力との実行順序を可変とする制御処理を有するものとしても良い（請求項４）。
【００１４】
また，本発明の言語学習装置１は，所定数の例文テキストＥＴについて，前記暗記モード処理手段３１を実行して暗記モードＳ１を作動させ，続けて，前記確認モード処理手段３２を実行して確認モードＳ２を作動させるモード制御処理手段３５を有するものとしても良い（請求項５）。
【００１５】
さらに，前記各モード３１〜３３に加え，前記各例文テキスト毎に，前記ユーザ音声データ記憶手段２４に格納されたユーザ音声データと，前記例文テキストに対応する外国語表記１１２の読みの模範音声データを，それぞれ，前記模範音声データ記憶手段２２とユーザ音声データ記憶手段２４から読みだし，前記例文テキストＥＴの外国語表記に同一又は近似するか否かを判断し，判定結果として，同一又は近似するときは，前記例文テキストの外国語表記１１２を表示し，同一又は近似しないときは，当該発音に対応するスペルを表示すると共に，該当又は非該当の旨を画面上に表示する発音確認モードＳ４を作動する発音確認モード処理手段３４を含むものとしても良い（請求項６）。
【発明の効果】
【００１６】
本発明の言語学習装置１によれば，学習する例文テキストＥＴについて自国語表記及び外国語表記の文字のみでなく，例文テキストＥＴに対応するイラストが表示され，さらには，前記自国語表記及び前記外国語表記の読みの音声が出力され，視覚・音声を通じて外国語を効果的に記憶し学習することができるものである。
【００１７】
さらに，本発明の言語学習装置１によれば，学習した例文テキストＥＴについて記憶が定着しているか確かめることが可能である。
【００１８】
さらには，ユーザは自分の発音と模範音声とを客観的に聞き比べることができるので，発音の誤りを容易に認識でき，この誤りを是正することにより，早い上達が望まれるようになる。
【００１９】
また，本発明の言語学習装置１によれば，学習する各例文テキストＥＴ毎に，自国語表記，外国語表記及び文字イラストの表示と，模範音声の出力とを繰り返すように設定でき，また，繰り返す毎に前記模範音声の速度を変えることで，集中力を高め，効率の良い記憶学習ができる。
【００２０】
また，前記暗記モード処理手段３１により実行される暗記モードＳ１の作動後に続けて前記確認モード処理手段３２により実行される確認モードＳ２を作動させることで，暗記した内容をすぐに確認でき，より効率的な学習が望まれる。
【００２１】
さらに，発音確認モード処理手段３４により，ユーザが自己の発音を例文テキストに対応するスペル又は異なるスペルにより表示されることにより，不正確な発音がどの程度に異なるか，すなわち，自己の発音のネイティブスピーカーとの差異を文字により認識することができる。
【図面の簡単な説明】
【００２２】
【図１】言語学習装置１（本発明が適用された端末装置１０）のハードウェア構成を示す。
【図２】第１実施形態に係る言語学習装置１（本発明が適用された第１実施形態に係る端末装置１０）で実現される各処理手段の構成を示す。
【図３】第１実施形態に係る言語学習装置１（本発明が適用された第１実施形態に係る端末装置１０）により作動される学習モードを示す。
【図４】暗記モードＳ１における第１の画面１０１の一例を示す。
【図５】暗記モードＳ１における第２の画面１０２の一例を示す。
【図６】暗記モードＳ１における第１の画面１０１の他の例を示す。
【図７】暗記モードＳ１における第２の画面１０２の他の例を示す。
【図８】確認モードＳ２の確認用画像１０３の一例を示す。
【図９】発音特訓モードＳ３の作動画面の一例を示す。
【図１０】発音確認モードＳ４の音声入力段階の作動画面の一例を示す。
【図１１】同上発音確認モードＳ４の発音後の音声に対応するスペルを表示する作動画面を示す。
【図１２】同上発音確認モードＳ４のユーザの発音の判定を示す図である。
【発明を実施するための形態】
【００２３】
以下に，添付図面を参照しながら本発明の言語学習装置１の第一実施形態について説明する。本発明の言語学習装置１は，各種言語（英語，仏語，韓国語等）を学習するための装置であり，以下では学習する外国語を英語とし，自国語を日本語として説明を行うが,外国語は英語に，また，自国語は日本語に，それぞれ限定されるものではない。すなわち，ユーザの母国語の種類を問わず，また，外国語の種類を問わず学習が可能である。
【００２４】
本発明の言語学習装置１は，例えば，スマートフォン，タブレット型端末，ノート型ＰＣ（Personal  Computer），デスクトップＰＣ，携帯電話機及び，ＰＤＡ（Personal  Digital  Assistant）等の端末装置１０により実現される。本実施形態では，端末装置１０にスマートフォンを使用する。
【００２５】
次に，本実施形態に使用される端末装置（スマートフォン）１０の構成について説明する。
【００２６】
本実施形態に使用される端末装置（スマートフォン）１０は，図１に示すように，端末内部の情報を管理し制御すると共に，本発明を適用したアプリケーションを実行する演算処理装置（ＣＰＵ）１２と，演算処理データや後述のマイクロフォンで入力された音声データを一時的に記憶するメインメモリ（ＲＡＭ）１３と，前記アプリケーション及び各種データが格納する記憶装置（ＲＯＭ，ＨＤＤ）１４と，演算結果及び，ユーザの入力操作に応じたテキストやイラストなどの各種のデータを表示するディスプレイと，好ましくは，これと一体化されたタッチパネルから成る操作パネル１５と，ユーザが発する音声を録音するためのマイクロフォン１６と，後述する模範音声データやユーザの音声を録音したユーザ音声データを出力するスピーカー１７と，外部サーバとインターネットを介してデータを送受信する無線通信用インタフェース１８とを備える。
【００２７】
なお，上述の各装置間は，制御信号あるいはデータ信号を伝送するために設けられたバス１９で接続されている。
【００２８】
そして，本発明の言語学習装置１が有する各手段を実行可能とするために，上述の構成を有するスマートフォン（端末装置）１０に，本発明を適用したアプリケーションをインストールさせ，スマートフォン（端末装置）１０を前記アプリケーションと協働して機能させることにより，図２に示すような，本発明の言語学習装置１が有する機能ブロックが実現される。なお，スマートフォン（端末装置）１０は，外部のアプリケーション提供サーバからインターネットを介してアプリケーションをダウンロードしインストールして実行してもよく，また，例えば，ＵＳＢメモリ及びＤＶＤ−ＲＯＭ等の記録媒体に記録されたアプリケーションをダウンロードし，端末装置１０にインストールして実行してもよい。
【００２９】
なお，本発明に使用される端末装置１０について，一般に市販されているスマートフォン，ＰＣ等は通常上記構成（演算処理装置１２，メインメモリ１３，記憶装置１４，操作パネル１５，マイクロフォン１６，スピーカー１７，無線通信用インタフェース１８）を備えているため，これらに本発明を適用したアプリケーションをインストールすれば，容易に本発明を実施することができる。
【００３０】
図２に示すように，前記アプリケーションをインストールした端末装置１０は，記憶手段２０，処理手段３０，操作入力手段４０，表示手段５０，音声入力手段６０，音声出力手段７０を備える。
【００３１】
本実施形態の記憶手段２０は，画像データ記憶手段２１と，模範音声データ記憶手段２２と，確認用画像データ記憶手段２３と，ユーザ音声データ記憶手段２４とを含むものである。
【００３２】
前記画像データ記憶手段２１は，学習する複数の例文テキスト（単語，熟語，文，文章を含む。）それぞれについての，例文テキストＥＴ（図示しないが，便宜上記号ＥＴとする）の日本語表記１１１と該例文テキストに対応するイラスト１１３とからなる第１の画像１０１の画像データと，前記例文テキストＥＴの英語表記１１２と前記イラスト１１３とからなる第２の画像１０２（とからなる１セット）の画像データを格納する。
【００３３】
前記模範音声データ記憶手段２２は，前記日本語表記１１１と前記英語表記１１２の読み（発音）の模範音声データを格納する。
【００３４】
前記確認用画像データ記憶手段２３は，学習する複数の例文テキストＥＴそれぞれについての，該例文テキストＥＴの日本語表記１１１及び英語表記１１２と，該例文テキストＥＴ以外の所定数の例文テキストＥＴ’１・・・ＥＴ’ｎの英語表記１１２’１・・・１１２’ｎとが同時に表示される確認用画像１０３の画像データ（確認用画像データ）を格納する。
【００３５】
前記ユーザ音声データ記憶手段２４は，ユーザが発する音声を音声入力手段６０にて取得したユーザ音声データを格納する。
【００３６】
なお，記憶手段２０は，上述以外に，効果音，ＢＧＭ等のその他の音声データ，メニュー画面，設定画面等その他の画面データを格納するものとして良い。
【００３７】
本実施形態の処理手段３０は，少なくとも，暗記モード処理手段３１，確認モード処理手段３２，発音特訓モード処理手段３３及び発音確認モード処理手段３４を含むものである。
【００３８】
本実施形態の前記暗記モード処理手段３１は，学習する所定数の各例文テキストＥＴ毎に，前記画像データ記憶手段２１と前記模範音声データ記憶手段２２とから読みだし，例文テキストＥＴの日本語表記１１１と該例文テキストに対応するイラスト１１３とからなる第１の画像１０１を表示すると共に前記日本語表記１１１の読みの模範音声データを出力し，前記例文テキストＥＴの英語表記１１２と前記イラスト１１３が同時に表わされた第２の画像１０２を表示すると共に前記英語表記１１２の読みの模範音声データを出力し，前記第１の画像１０１及び前記第２の画像１０２の表示時間は一定とする制御処理を含むものである。
【００３９】
なお，前記暗記モード処理手段３１が，一の例文テキストＥＴについて，前記第１の画像１０１の表示及び自国語表記１１１の読みの模範音声データの出力と，前記第２の画像１０２を表示及び前記外国語表記１１２の読みの模範音声データの出力との順序を可変とする制御処理を含むものとしても良い。
【００４０】
前記確認モード処理手段３２は，前記確認用画像データ記憶手段２３から読み出し，例文テキストＥＴの日本語表記１１１及び英語表記１１２と，該例文テキストＥＴ以外の複数の例文テキストＥＴ’１・・・ＥＴ’ｎの外国語表記１１２’１・・・１１２’ｎとが同時に表示される前記確認用画像１０３を表示し，ユーザによる画面上の複数の英語表記１１２，１１２’・・・１１２’ｎから一の英語表記の選択（タッチあるいはクリック）入力を受け付け，選択された英語表記が前記例文テキストＥＴの英文（つまり，前記日本語表記１１１の訳文）に該当するか否かを判断し，判定結果を音声にて出力又は画像にて表示し，一定時間経過後に次の確認用画像１０３に切り替え表示させ，これを学習する所定の例文テキストＥＴの数だけ繰り返す制御処理を含むものである。
【００４１】
前記発音特訓モード処理手段３３は，模範音声データ記憶手段２２に記憶された英語表記１１２の読みの模範音声データと，ユーザ音声データ記憶手段２４に記憶されたユーザ音声データとを交互に発音させる制御処理を含むものである。  
【００４２】
また，図２中の前記操作入力手段４０は，表示画面（タッチパネル）に対するユーザのタッチ等による選択操作の入力を受けつけ，前記表示手段５０は，画像データを表示し，前記音声入力手段６０は，ユーザが発音したユーザ音声データを取得し，前記音声出力手段７０は，模範音声データ，ユーザ音声データ，効果音データ，ＢＧＭデータを含む各種音声データを出力させるものである。
【００４３】
さらに，図２において，処理手段３０の発音確認モード処理手段３４は，模範音声データ記憶手段２２に記憶された英語表記１１２の読みの模範音声データと，ユーザ音声データ記憶手段２４に記憶されたユーザの発音による音声データを比較し，ユーザの発音が模範音声と同一ないし近似していれば，前述のように，例えば，正解音「ピンポーン」を出力し，前記比較により，ユーザの発音が不適当であれば，不正解音「ブー」を出力させても良い。この場合，この発音確認モード処理手段３４に設けられた音声認識手段により，認識したユーザの発音に対応する外国語のスペルを表示することができる。
【００４４】
次に，上記手段により実現される本実施形態の言語学習装置１の動作の一例について説明する。言語学習装置１により，図３に示すように，少なくとも暗記モードＳ１，確認モードＳ２，発音特訓モードＳ３，発音確認モードＳ４の４つの学習モードが作動され，例えば，図示しないメインメニューの画面から選択可能としている。
【００４５】
図４は，暗記モードＳ１において表示される画像の一例を示す図である。図４に示す画像では，例文テキストＥＴの日本語表記１１１，例文テキストＥＴに対応したイラスト１１３が同時に表示されている（第１の画像１０１）。前記画像が一定時間表示されている間に日本語表記１１１の読み（発音）の模範音声が出力される。そして，図４の第１の画像１０１が一定時間表示された後，図５に示すように，例文テキストＥＴの英語表記１１２及びイラスト１１３が表示（第２の画像１０２）されると共に，該英語表記１１２の読み（発音）の模範音声が出力される。そして，図５の第２の画像１０２が一定時間表示された後，図６に示すように，次に学習する例文テキストＥＴの日本語表記１１１，該例文テキストＥＴに対応したイラスト１１３が同時に表示され（第１の画像１０１），該画像１０１が一定時間表示されている間に日本語表記１１１の読み（発音）の模範音声が出力される。そして，図６の第１の画像１０１が一定時間表示された後，図７に示すように，例文テキストＥＴの英語表記１１２及びイラスト１１３が表示（第２の画像１０２）されると共に，該英語表記１１２の読み（発音）の模範音声が出力される。
【００４６】
なお，イラスト１１３は，図４のように漫画的に描かれたものに限定されず，例えば，映写したもの，さらにはアニメーション等の動画を使用しても良い。
【００４７】
また，前記実施形態では，前記第１の画像１０１の表示及び自国語表記１１１の読みの模範音声データの出力，前記第２の画像１０２を表示及び前記外国語表記１１２の読みの模範音声データの出力の順に行われる例を説明したが，図示しない設定画面から，前記第１の画像１０１の表示及び自国語表記１１１の読みの模範音声データの出力と，前記第２の画像１０２を表示及び前記外国語表記１１２の読みの模範音声データの出力との順番を変更することができるものとしても良い。これにより，前記第２の画像１０２を表示及び前記外国語表記１１２の読みの模範音声データの出力，前記第１の画像１０１の表示及び自国語表記１１１の読みの模範音声データの出力の順に作動するように設定変更することができる。
【００４８】
本実施形態では，１０個の例文テキストＥＴのまとまりを１ステップとして，第１の画像１０１（日本語表記１１１）及び第２の画像１０２（英語表記１１２）を順次表示していくことを１周回とし，１周回表示すると終了する。
【００４９】
例えば，図６の第１の画像１０１の上部中央に，「〈２／１０〉」と表示されているように，今，何例文目か分かるように表示されている。また，本実施形態では，上述のように１０個の例文テキストを１ステップとし，該ステップを複数設けることができる。なお，１周回分の例文テキストの数は，１０個に限定されず，図示しない設定画面で自由に設定することができる。
【００５０】
なお，図示しない設定画面から模範音声の速度を変えることができる。但し，音声の速度を変えたとしても，各画像の表示時間は（画像の切り替え速度は）変わらず一定である。
【００５１】
上述した暗記モードＳ１を利用することで，ユーザは，視覚・音声を通じて外国語を効果的に記憶し学習することができる。
【００５２】
次に，確認モードＳ２について説明する。
図８は，確認モードＳ２の作動により表示される前記確認用画像１０３の一例を示す。確認モードＳ２では，例えば，暗記モードＳ１で学習した例文テキストを記憶しているか否かを確認するためのものであり，図８に示すように，例文テキストＥＴの日本語表記１１１を画面中央に表示し，その周りに，該例文テキストＥＴの英語表記１１２と，該例文テキストＥＴ以外の９個の例文テキストＥＴ’１・・・ＥＴ’９の英語表記１１２’１・・・１１２’９とを含む合計１０個の英語表記１１２，１１２’１・・・１１２’９が同時に表示される確認用画像１０３が表示され，ユーザは，表示された英語表記１１２，１１２’１・・・１１２’９を囲む枠内を選択することができ，そして，選択された１の英語表記が前記例文テキストＥＴの英文（つまり，前記日本語表記１１１の訳文）に該当するか否かを判定し，結果をユーザに知らせることができる。本実施形態では音声で判定結果を知らせるものであり，例えば，正解音「ピンポーン」，不正解音「ブー」を出力させても良い。なお，これら信号音と共にあるいはこれに代えて，テキストあるいはイメージで判定結果を画面に表示するものとしても良い。そして，一定時間経過すると次の例文テキストＥＴの確認用画像１０３に移行する。
【００５３】
本実施形態では，上述の学習モードで学習した１０個の例文テキストについて一定時間経過する毎に次の確認用画像１０３を表示していくことができ，例えば，図８の画面左上に，「〈１／１０〉」と表示されているように，今，何例文目か分かるように表示されている。
【００５４】
なお，上記暗記モードＳ１と上記確認モードＳ２を続けて作動するように設定しても良く，例えば，１０個の例文テキストＥＴについて暗記モードＳ１で学習し，暗記モードＳ１が終了した後，続けて確認モードＳ２が自動で作動し，暗記モードＳ１で学習した１０個の例文テキストＥＴについて確認モードＳ２で確認するものとしても良い。
【００５５】
ユーザは，上述の確認モードＳ２を利用することで，暗記モードＳ１で学習した英語テキストを記憶できているか確かめることが可能であると共に，あらためて記憶の定着を促すことができる。
【００５６】
また，例えば，前記確認モード処理手段３２が，正答率を計算しその計算結果を画面に表示する制御処理を備えることで，ゲーム感覚で学習できるため，飽きずに継続しやすい。
【００５７】
次に，発音特訓モードＳ３について説明する。
本実施形態の発音特訓モードＳ３の作動により表示される画像には，例えば，図９に示すように，学習する例文テキストＥＴ，例えば英語表記１１２，例文テキストＥＴに対応するイラスト１１３，模範音声再生ボタン１２１，録音ボタン１２２，音声再生ボタン１２３，比較再生ボタン１２８及び，録音再生ボタン１２９が表示されている。
【００５８】
模範音声再生ボタン１２１を選択すると，表示されている英語表記１１２の読み（発音）の模範音声が出力される。
【００５９】
録音ボタン１２２を選択すると，録音モードに切り換わり，ユーザがマイクロフォンに向かって発声すると，この音声データがユーザ音声データ記憶手段２４に記憶される。
【００６０】
次に，前記音声再生ボタン１２３については，比較再生ボタン１２８を選択（タッチ）した後に音声再生ボタン１２３を選択すると，表示されている英語表記１１２の読み（発音）の模範音声が出力した後，前記ユーザ音声データ記憶手段２４に録音されたユーザの音声を出力する。なお，出力される音声の順番は逆でも良い。
【００６１】
また，録音再生ボタン１２９を選択した後，音声再生ボタン１２３を選択すると，前記ユーザ音声データ記憶手段２４に録音されたユーザの音声のみを出力する。
【００６２】
本実施形態では，上述の学習モードで学習した１０個の例文テキストについて順次表示していくことができ，例えば，図９の画面上部中央に，「〈１／１０〉」と表示されているように，今，何例文目か分かるように表示されており，また，図９中の右矢印ボタン１２４を選択すると，次の例文テキストの画面に移行し，左矢印ボタン１２５を選択すると，一つ前の例文テキストに画面に戻る。
【００６３】
上記発音特訓モードＳ３を利用することで，ユーザは自分の発音と模範音声とを客観的に聞き比べることができるので，発音の誤りを容易に認識でき，この誤りを是正することにより，早い上達が望まれるようになる。
【００６４】
次に，本発明の第２実施形態について説明する。なお，説明の便宜上，実施形態１における説明と同じ機能を有する構成・手段については，同じ符号を付し，その詳細な説明を省略する。
【００６５】
第２実施形態は，暗記モード処理手段３１における処理が実施形態１と異なる。
本実施形態の暗記モード処理手段３１は，上述した第１実施形態の暗記モード処理手段が有する処理機能の他に，所定数の各例文テキストＥＴ毎に，前記第１の画像１０１の表示及び日本語表記１１１の読みの模範音声データの出力と，前記第２の画像１０２の表示及び英語表記１１２の読みの模範音声データの出力とを順次実行することを１周回として，複数回周回し，全画像は，常に一定時間表示され，周回毎に模範音声データの出力速度を可変とする制御処理を含む。
【００６６】
第２実施形態の暗記モードＳ１の動作の例として，本実施形態では，１０個の例文テキストについて，第１の画像１０１の表示及び日本語表記１１１の読みの模範音声の出力と第２の画像１０２の表示及び英語表記１１２の読みの模範音声の出力を順次実行していくことを１周回とし，３周回するものである。１周回目が終了すると２周回目が始まるが，２周回目では，各画像の表示時間は１周回目と同じ，つまり画像の切り替え速度は変わらないが，各例文テキストの日本語表記１１１及び英語表記１１２の読み（発音）の模範音声の速度が速くなる。本実施形態では，３周回目の各例文テキストの日本語表記１１１及び英語表記１１２の読み（発音）の模範音声の速度は，１周回目より早いが２周回目より遅く設定されている。ただし，ここでも，３周回目の各画像の表示時間は１周回目及び２周回目と表示時間が同一，つまり画面の切り替え速度は変わらない，つまり，全画像通じて，画像の表示時間は一定である。
【００６７】
なお，実施形態１の場合と同様に，図示しない設定画面から，前記第１の画像１０１の表示及び自国語表記１１１の読みの模範音声データの出力と，前記第２の画像１０２を表示及び前記外国語テキスト１１２の読みの模範音声データの出力との順番を変更することができるものとしても良い。
【００６８】
また，１周回分の例文テキストの数は，１０個に限定されず，図示しない設定画面で自由に設定することができ，また各周の模範音声の速度についても自由に設定でき，例えば，６段階の音声速度を用意しておきその中から適宜選択して設定できるものとしても良い。
【００６９】
次に，本発明の第３実施形態について説明する。なお，説明の便宜上，実施形態１における説明と同じ機能を有する構成・手段については，同じ符号を付し，その詳細な説明を省略する。
【００７０】
本実施形態の暗記モード処理手段３１は，第１実施形態の暗記モード処理手段が有する機能の他に，一の例文テキストＥＴについて，前記第１の画像１０１の表示及び日本語表記１１１の読みの模範音声データの出力をし，前記第２の画面１０２の表示及び英語表記１１２の読みの模範音声データの出力をすることを１ターンとし，該１ターンの画像表示及び模範音声データ出力を複数回繰り返してから次の例文テキストの画像表示及び模範音声データ出力に移行し，全画面の表示時間は一定にしつつ，ターン毎に音声の出力速度を可変とする処理機能を有する。
【００７１】
第３実施形態の暗記モードＳ１の動作の例として，１の例文テキストの，第１の画像（日本語表記）１０１の表示及び日本語表記の模範音声の出力をした後，第２の画像（英語表記）１０２の表示及び英語表記の模範音声の出力することを１ターンとし，該１ターンの画像表示及び音声出力を３回繰り返した後に次に学習する例文テキストＥＴに移行することを，１０の例文テキストＥＴ分だけ繰り返すものである。１の例文テキストＥＴにおいて１ターン目が終了すると２ターン目が始まるが，２ターン目では，各画像の表示時間は１ターン目と同一，つまり画像の切り替え速度は変わらないが，日本語表記１１１及び英語表記１１２の読み（発音）の模範音声の速度が速くなる。本実施形態では，３ターン目の，日本語表記１１１及び英語表記１１２の読み（発音）の模範音声の速度は，１ターン目及び２ターン目より早く設定されている。ただし，３ターン目の各画像の表示時間は１ターン目及び２ターン目と表示時間が同一，つまり画像の切り替え速度は変わらない。つまり，全画像通じて，表示時間は一定である。
【００７２】
なお，前記実施形態では，前記第１の画像１０１の表示及び自国語表記１１１の読みの模範音声データの出力，前記第２の画像１０２の表示及び前記外国語表記１１２の読みの模範音声データの出力の順に行われる作動例を説明したが，実施形態１の場合と同様に，図示しない設定画面から，前記第１の画像１０１の表示及び自国語表記１１１の読みの模範音声データの出力と，前記第２の画像１０２の表示及び前記外国語表記１１２の読みの模範音声データの出力との順番を変更することができるものとしても良い。これにより，前記第２の画像１０２の表示及び前記外国語テキスト１１２の読みの模範音声データの出力，前記第１の画像１０１の表示及び自国語表記１１１の読みの模範音声データの出力の順に作動されるものに設定変更することができる。
【００７３】
また，各ターンの模範音声の速度は，例えば，図示しない設定画面から適宜選択して自由に設定できるようにして良い。
【００７４】
発音確認モードＳ４に関し，図２に示す処理手段３０の発音確認モード処理手段３４について，説明すると，前記各例文テキスト毎に，前記ユーザ音声データ記憶手段２４に格納されたユーザ音声データと，前記例文テキストに対応する外国語表記１１２の読みの模範音声データを，それぞれ，前記模範音声データ記憶手段２２とユーザ音声データ記憶手段２４から読みだし，前記例文テキストＥＴの外国語表記に該当する発音か否かを判断し，判定結果として，ユーザの発音が正しい，すなわち，模範音声データと同一又は近似するときは，前記例文テキストの外国語表記１１２をそのまま表示し，近似しないときは，近似しない発音に対応するスペルを表示すると共に，該当又は非該当の旨を画面上に表示する発音確認モードＳ４を作動する。
【００７５】
図１０〜図１２に示す実施形態では，発音練習ボタン１３１をタッチし，表記枠１１０に例文テキストＥＴである英語表記１１２「Ｃｏｏｌ！」が表示され，画面に従って，「Ｃｏｏｌ！」と発音する（図１０〜図１１）。ここでは，発音が正しければ，そのスペルである「Ｃｏｏｌ」が，イラスト枠１０９内に表記される（図１１〜図１２）。そして，判定結果として，「ピンポン」の音声と共に，「Ｇｏｏｄ  ｉｔ」と表示される（図１２）。発音が正しくないとき，たとえば，いわゆる和製英語風に「クール」と発音されると，ブザー音「Ｂｅｅ」となり，「Ｋｕｕｒｕ」と表示される。「Ｇｏｏｄ  ｉｔ」とならないときは，発音練習ボタン１３１のタッチからやり直すことができる。
【００７６】
すなわち，ユーザの発音が，「模範音声データと」比較しあっていれば，「ピンポン」とそのスペルを表示し，間違っていれば，「Ｂｅｅ」で，不正解の表示と共に間違った発音に対応する正解と異なるスペルの英文テキストを表示する。ユーザは自分の発音について模範音声との相違を簡単に確認することができるので，発音の誤りを容易に認識できる。
【符号の説明】
【００７７】
１  言語学習装置
１０  端末装置
１２  演算処理装置
１３  メインメモリ
１４  記憶装置
１５  操作パネル
１６  マイクロフォン
１７  スピーカー
１８  無線通信用インタフェース
１９  バス
２０  記憶手段，
２１  画像データ記憶手段
２２  模範音声データ記憶手段
２３  確認用画像データ記憶手段
２４  ユーザ音声データ記憶手段
３０  処理手段
３１  暗記モード処理手段
３２  確認モード処理手段
３３  発音特訓モード処理手段
３４  発音確認モード処理手段
３５  モード制御処理手段
４０  操作入力手段
５０  表示手段
６０  音声入力手段
７０  音声出力手段
１０１  第１の画像
１０２  第２の画像
１０３  確認用画像
１０９  イラスト枠
１１０  表記枠
１１１  自国語（日本語）表記（例文テキスト；ＥＴ）
１１２  外国語（英語）表記（例文テキスト；ＥＴ）
１１３  イラスト
１２１  模範音声再生ボタン
１２２  録音ボタン
１２３  音声再生ボタン
１２８  比較再生ボタン
１２９  録音再生ボタン
１３１  発音練習ボタン
Ｓ１  暗記モード
Ｓ２  確認モード
Ｓ３  発音特訓モード
Ｓ４  発音確認モード
【図１】
2018097250.tif 000003
【図２】
2018097250.tif 000004
【図３】
2018097250.tif 000005
【図４】
2018097250.tif 000006
【図５】
2018097250.tif 000007
【図６】
2018097250.tif 000008
【図７】
2018097250.tif 000009
【図８】
2018097250.tif 000010
【図９】
2018097250.tif 000011
【図１０】
2018097250.tif 000012
【図１１】
2018097250.tif 000013
【図１２】
2018097250.tif 000014